(57)【要約】【課題】  湿潤に起因するシート搬送エラーの発生を抑制する工夫が図られたシート給送装置を提供する。【解決手段】  積み重ねられたシートを収容するシート収容手段を備え、該シート収容手段に収容されたシートを該シート収容手段から１枚ずつ給送するシート給送装置において、乾燥風を、シート収容手段に収容された複数のシートの縁に向けて吹き出す第１吹出口と、乾燥風を、シート収容手段に収容されたシートを避けた向きに吹き出す第２吹出口とを備えた。【選択図】        図２
2006193262.tif 000002
【特許請求の範囲】
【請求項１】
積み重ねられたシートを収容するシート収容手段を備え、該シート収容手段に収容されたシートを該シート収容手段から１枚ずつ給送するシート給送装置において、
乾燥風を、前記シート収容手段に収容された複数のシートの縁に向けて吹き出す第１吹出口と、
乾燥風を、前記シート収容手段に収容されたシートを避けた向きに吹き出す第２吹出口とを備えたことを特徴とするシート給送装置。
【請求項２】
前記シート収容手段が、このシート収容手段からシートが給送される際にシートを収容しておく給送位置と、該給送位置から外れた退避位置との間で、シートの収容位置を変更するものであり、
前記第１吹出口は、乾燥風を、前記給送位置に収容された複数のシートの縁に向けて吹き出すものであり、
前記第２吹出口は、乾燥風を、前記退避位置に収容されたシートを避けた向きに吹き出すものであり、
前記第１吹出口と前記第２吹出口が、共通の吹出口であることを特徴とする請求項１記載のシート給送装置。
【請求項３】
前記シート収容手段が、同一サイズのシートを積み重ねた状態で収容する、複数サイズのシートの収容に対応したものであり、
前記第２吹出口は、乾燥風を、前記シート収容手段に収容される少なくとも最も小さなサイズのシートを避けた向きに吹き出すものであることを特徴とする請求項１記載のシート給送装置。
【請求項４】
湿度を検出する湿度センサと、
前記第２吹出口の乾燥風を、前記湿度センサからの検出結果に応じて制御することを特徴とする請求項１記載のシート給送装置。
【請求項５】
前記湿度センサからの検出結果に応じて、乾燥風の湿度または風量を制御することを特徴とする請求項４記載のシート給送装置
【請求項６】
乾燥風は除湿手段によるものであることを特徴とする請求項１〜５のうちのいずれか１項記載のシート給送装置。
【請求項７】
前記除湿手段はヒータによるものであることを特徴とする請求項６記載のシート給送装置。
【発明の詳細な説明】
【技術分野】
【０００１】
本発明は、積み重ねられたシートを収容するシート収容手段を備え、該シート収容手段に収容されたシートを該シート収容手段から１枚ずつ給送するシート給送装置に関する。
【背景技術】
【０００２】
従来より、記録用紙などのシートを積み重ねて収容するシート収容手段を有し、このシート収容手段から給送したシートを搬送する搬送経路を通って搬送されてきたシート上に画像を形成する、プリンタなどのシート給送装置を備えた画像形成装置が知られている。
【０００３】
このような画像形成装置のシート給送装置では、シート収容手段内に積み重ねられたシート同士の密着による重送などが問題となっている。
【０００４】
そこで、積み重ねられたシートのうち吸湿が著しい上層のシートの除湿を目的とする、最上位のシートの上面に向けての乾燥風の送風により、湿潤に起因するシート同士の密着を緩和する提案がなされている（特許文献１参照）。
【特許文献１】特開平６−３２４７３号公報
【発明の開示】
【発明が解決しようとする課題】
【０００５】
しかし、上記提案では、その最上位のシートのシート収容手段内での待機時間が長くなると、最上位のシートに対する除湿が過度となり、最上位のシートにソリなどが発生し搬送に支障が出るおそれがある。
【０００６】
本発明は、上記事情に鑑み、湿潤に起因するシート搬送エラーの発生を抑制する工夫が図られたシート給送装置を提供することを目的とする。
【課題を解決するための手段】
【０００７】
上記目的を達成するための本発明のシート給送装置は、
積み重ねられたシートを収容するシート収容手段を備え、このシート収容手段に収容されたシートをこのシート収容手段から１枚ずつ給送するシート給送装置において、
乾燥風を、上記シート収容手段に収容された複数のシートの縁に向けて吹き出す第１吹出口と、
乾燥風を、上記シート収容手段に収容されたシートを避けた向きに吹き出す第２吹出口とを備えたことを特徴とする。
【０００８】
本発明のシート給送装置では、シート収容手段に収容された複数のシートの縁に向けて乾燥風を吹き付けることで、シート同士の密着を解くと共に、シート収容手段内のシートに対する除湿が、従来のようなシート収容手段に収容されたシートのうち最上位のシートの上面ではなく、シート収容手段内に収容されたシートを避けた向きに吹き出す乾燥風によって局所的な除湿を抑制しつつ間接的になされている。したがって、本発明のシート給送装置によれば、湿潤に起因するシート搬送エラーの発生を抑制することができる。
【０００９】
ここで、上記シート収容手段が、このシート収容手段からシートが給送される際にシートを収容しておく給送位置と、この給送位置から外れた退避位置との間で、シートの収容位置を変更するものであり、上記第１吹出口は、乾燥風を、上記給送位置に収容された複数のシートの縁に向けて吹き出すものであり、上記第２吹出口は、乾燥風を、上記退避位置に収容されたシートを避けた向きに吹き出すものであり、上記上記第１吹出口と上記第２吹出口が、共通の吹出口であることが好ましい態様である。
【００１０】
このようにすることで、シートが給送される際にシートを収容しておく給送位置にシートを収容している際に、この給送位置にある複数のシートの縁に乾燥風を吹き出す吹出口は、シートを退避位置に収容している際にはこの退避位置に収容されたシートを避けた向きに乾燥風を吹き出すものとなり、兼用による簡素化、小スペース化、コスト削減が可能となる。
【００１１】
また、上記シート収容手段が、同一のシートを積み重ねた状態で収容する、複数サイズのシートの収容に対応したものであり、上記第２吹出口は、乾燥風を、上記シート収容手段に収容される少なくとも最も小さなサイズのシートを避けた向きに吹き出すものであることも好ましい。
【００１２】
このように、第２吹出口が、シート収容手段に最も小さなサイズのシートを収容した際、シート収容手段内の、この最も小さいサイズのシートを避けた向きに乾燥風を吹き出すことで、相対的に大きなサイズのシートの場合よりも給送が素早く行われるためにシート同士の密着を直接的に解く時間が少なくなる点をカバーすることができる。
【００１３】
ここで、湿度を検出する湿度センサと、
上記第２吹出口に乾燥風を、上記湿度センサからの検出結果に応じて湿度を変える制御部とを備えることが好ましい。
【００１４】
このように、シート同士の密着具合に影響を与える湿度を検出し、検出結果に応じた乾燥風を吹き出すことで、より一層湿潤に起因するシート搬送エラーの発生を抑制することができる。
【発明の効果】
【００１５】
本発明のシート給送装置よれば、湿潤に起因して発生するシート搬送エラーを抑制することができる。
【発明を実施するための最良の形態】
【００１６】
以下、本発明の実施形態について説明する。
【００１７】
図１は、本発明のシート給送装置の第１実施形態を備えた画像形成装置の概略構成図である。
【００１８】
図１に示すプリンタ１は、シート給送装置１１、画像形成部２１０、定着部３１０、およびシート搬送部４１０で構成された、シート上に白黒画像の形成を行なうモノクロプリンタである。
【００１９】
画像形成部２１０は、矢印Ａ方向に回転する感光体ロール２１６と、感光体ロール２１６に所定の電荷を付与する、矢印Ｂ方向に回転する帯電器２１４と、外部端末２および画像読取装置３から送信されてくる画像データを受信する受信部２１１と、受信部２１１で受信した画像データを処理する画像データ処理部２１２と、画像データ処理部２１２で処理された画像データに応じて感光体ロール２１６を露光して静電潜像を形成する露光器２１３と、感光体ロール表面に形成された静電潜像を現像する、トナーを保持しながら矢印Ｃ方向に回転する現像ロール２１５１を有し、感光体ロール表面に形成された静電潜像をトナー現像する現像器２１５と、感光体ロール２１６の表面に形成されたトナー像を、シート搬送経路４２０を経由して搬送されてきたシート上に転写する、矢印Ｄ方向に回転する転写ロール２１７とで構成されている。
【００２０】
定着部３１０は、トナー像が転写されたシートを、加熱ロール３１１と加圧ロール３１２との間にニップしながら搬送することでトナー像をシートに定着する。
【００２１】
シート搬送部４１０は、搬送ロール４１１と、定着を終えたシートをプリンタ１の上面に給送するための給送ロール４１２とで構成されている。
【００２２】
シート給送装置１１は、積み重ねられたシートを収容したシート収容手段１２と、シート収容手段１２の周壁側から、これら積み重ねられたシートの縁に向けて乾燥風を吹き出すファン１３ａ、１３ｂと、シート収容手段１２からシート搬送経路４２０にシートを給送するためにシートをシート収容手段１２から給送するシート給送部１４とで構成されている。
【００２３】
図２は、図１に示すシート給送装置の上面図および断面図である。
【００２４】
図２（ａ）には、シート給送装置１１の上面図が示されており、ここには、シート１００が収容されるシート収容手段１２、シート収容手段１２の底部に配備されたボトムプレート１２１、シート給送部１４の構成要素である、シート収容手段１２に収容されているシートの最上位に位置するシートに接触し回転するナジャーロール１４１、ナジャーロール１４１よりもシート搬送経路側（図１参照）に位置しナジャーロール１４１により給送されてきたシートを、後述するリタードロールと共にシート搬送経路４２０に送り込むフィードロール１４２が示されている。
【００２５】
また、図２（ａ）には、シート給送装置１１の構成要素である湿度センサ１５、シート１００が給送される向きと直交する向きに乾燥風を吹き出すファン１３ａ、１３ｂ、湿度センサ１５からの信号を受信すると共に、第１ファン１３ａ、第２ファン１３ｂに備えられた、空気の温度を上げることで乾燥風の湿度を制御する除湿手段、ここでは第１ヒータ１３１ａ、第２ヒータ１３１ｂ、および、シート給送部１４の動作を制御する制御部１０が備えられている様子が示されている。尚、乾燥風の制御は第１ファン１３ａ、第２ファン１３ｂの出力により風量を制御するものでも構わない。
【００２６】
さらに、図２（ａ）には、シート収容手段内において互いに直交する向きに移動自在のサイドガイド１６およびエンドガイド１７が示されている。
【００２７】
これらサイドガイド１６およびエンドガイド１７は、収容するシートのサイズに応じて移動し、シートを壁面１２ａ、１２ｂに押し付けることで積み重ねられたシートを安定させるためのものである。
【００２８】
図２（ｂ）には、シート給送部１４の構成要素である、フィードロール１４２の下方に位置しフィードロール１４２に接触してシートの重送を予防するリタードロール１４３が示されている。
【００２９】
また、シート給送部１４は、図示は省略したが、フィードロール１４２の中心軸を中心にナジャーロール１４１をシート１００側に回動させるソレノイド、および、シート側に回動したナジャーロール１４１がシートに接触している高さが、シートの給送のために予め設定されている高さであるか否か、即ち、シートの高さが適切か否かを検知する光センサであるレベルセンサも構成要素としている。
【００３０】
図２（ｂ）には、プリンタ１からシート給送装置に１１に対し、未だシートの給送指示が出されていない時のシートの収容位置（以下では、この位置を退避位置と称す。）が示されており、このとき、第１ファン１３ａの第１エアー吹出口１３２ａ、および第２ファン１３ｂの第２エアー吹出口１３２ｂからは、退避位置に収容するシートを避けた空間２０に向けて、湿度センサ１５からの湿度情報に応じた乾燥風を送風する。プリンタ１からシートの給送指示が出されたときには、このシート給送装置１１では、ソレノイドを起動させてナジャーロール１４１をシート１００の上面に接触させると共に、シート収容手段１２の底部に配備されているボトムプレート１２１のモータに起動を指示し、シートの収容位置を上昇させる。
【００３１】
図２（ｃ）には、プリンタ１からのシートの給送指示が出されたことでシートの収容位置がシートの給送が可能な位置（以下では、この位置を給送位置と称す。）にまで上昇した様子が示されている。シートの収容位置が給送位置に到達すると、シート１００の最上位面に接触しているナジャーロール１４１の位置も上昇し、シートの高さがシートの給送のために予め設定されている高さに到達したことがレベルセンサにより検知される。これを受けて、ボトムプレート１２１の上昇は停止され、第１エアー吹出口１３２ａ、および第２エアー吹出口１３２ｂからの、湿度センサ１５からの湿度情報に応じて吹き出されていた乾燥風は、今度は、シート収容手段１２に収容された複数のシートの縁に吹き付けられることとなり、給送間際のシート同士の密着を解くために用いられる。その後、シートの給送指示が途絶えると、再び、シート収容手段１２は退避位置にまで下降し、空間２０への乾燥風の吹き付けが続けられる。尚、ボトムプレート１２１を上昇させる機構等は、公知の技術であり、本発明とは直接関係しないので説明は省略する。
【００３２】
プリンタ１に備えられているシート給送装置１１では、プリンタ１への電源投入が行われた後、シートの給送指示が出されるまでは、図２（ａ）に示す退避位置にシートを収容した状態のまま、第１ファン１３ａの第１吹出口１３２ａおよび第２ファン１３ｂの第２吹出口１３２ｂ双方から、湿度センサ１５からの湿度情報に応じた乾燥風を、シートを避けた空間２０に吹き出すようになっている。尚、湿度センサ１５によって検出された湿度情報が高湿度を表す場合には、シート同士の密着度合いが高まるおそれがあるとして、制御部１０は各ヒータの温度を上げることで、吹き出す空気の相対湿度を大きく下げ、低湿度の場合にはヒータ温度を下げる、あるいはヒータを切ることで吹き出す空気の相対湿度の下げ量を減らす、もしくは下げないよう制御する。また、高湿度の場合には各ファンに対し高出力での送風を指示し、低湿度の場合には各ファンに対して低出力で送風する、あるいは出力を切るよう指示するものでも構わない。
【００３３】
また、プリンタ１からのシートの給送指示がシート給送装置１１に出されたときには、シートの収容位置は図２（ｂ）に示す給送位置に変更される。これにより、第１ファン１３ａの吹出口１３２ａおよび第２ファン１３ｂの吹出口１３２ｂ双方からの調湿のための乾燥風は、今度は、シートトレイ１２に収容されている複数のシートの縁に向けて吹き出されることとなり、兼用による簡素化、小スペース化、コスト低減も可能となる。つまり、このプリンタ１では、シートの給送指示が出された際には、複数のシートの縁に向けて吹き出す乾燥風によりシート同士の密着が解かれると共に、シート収容手段内に収容されたシートを避けた向きに吹き出す乾燥風によりシート収容手段内の除湿が局所的な除湿を抑制しつつ間接的に行なわれる。したがって、プリンタ１によれば、低コストで湿潤に起因するシート搬送エラーの発生を抑制することができる。
【００３４】
図３は、プリンタに備えられたシート給送装置において実行されるルーチンのフローチャートである。
【００３５】
図３に示すルーチンは、プリンタ１において電源が投入されたことを受けて、シート給送装置１１において実行されるルーチンであり、ステップＳ１では、湿度センサ１５からの湿度情報の取得を指示する。ステップＳ２では、シートを退避位置において収容したまま、取得した湿度情報に応じた湿度、または風量での乾燥風の送風を指示する。ステップＳ３では、シート給送指示があったか否かを判定する。ステップＳ３において、指示がないと判定すると、ステップＳ１に戻り、指示があったと判定すると、ステップＳ４に進む。ステップＳ４では、ソレノイドにオンを指示し、ステップＳ５では、ボトムプレート１２１のモータにボトムプレート１２１を上昇させる向きへの回転を指示する。ステップＳ６では、ボトムプレート１２１の上昇によりレベルセンサがオフとなったか、即ち、シートが給送可能な高さに到達したか否かを判定する。ステップＳ６において、シートが所定の高さに到達していないと判定すると、ステップＳ５に戻り、到達したと判定すると、ステップＳ７に進む。ステップＳ７では、ボトムプレート１２１のモータに停止を指示する。ステップＳ８では、ナジャーロール１４１に給送動作を指示する。ステップＳ９では、給送動作が終了したか否かを判定し、終了していないと判定すると、ステップＳ９を繰り返す。ステップＳ９において、終了したと判定すると、ステップＳ１０に進み、次のシートの給送指示が出ているか否かを判定する。ステップＳ１０において指示が出されていないと判定されると、ステップＳ１１に進み、ボトムプレート１２１のモータに所定量の下降の向きへの回転を指示し、シートの収容位置を給送位置から退避位置に変更する。その後、ステップＳ１に戻る。一方、ステップＳ１０において、次の給送指示が出されていると判定すると、ステップＳ１２に進み、レベルセンサがオフか否か、即ち、シートの給送により、シートの高さが所定の高さから下がっていないか否かを判定する。ステップＳ１２において、下がっていると判定すると、ステップＳ１３に進み、ボトムプレート１２１のモータに上昇方向への回転を指示し、所定の高さとなるまでステップＳ１２を繰り返す。ステップＳ１２において、所定の高さにあると判定されると、ステップＳ１４に進み、ボトムプレート１２１のモータに停止を指示し、その後、ステップＳ８に戻る。
【００３６】
図４は、プリンタに備えられたシート給送装置の別態様を示す図である。
【００３７】
図４に示すシート給送装置２１と上述のシート給送装置１１との相違点は、ファンの配備位置が、シートが給送される位置に移動した点だけであるので、詳しい説明は省略するが、このような態様のシート給送装置２１を備えても、このプリンタ１によれば、局所的な除湿を回避し、湿潤に起因するシート搬送エラーの発生を抑制することができる。
【００３８】
次に、本発明のシート給送装置の第２実施形態について説明する。
【００３９】
図５は、プリンタに備えられているシート給送装置の概略構成図である。尚、以下に示す部材で、図２において示す部材と同じ種類の部材には、図２において付されている符号と同じ符号を付している。
【００４０】
図５に示すシート給送装置３１は、シートを積み重ねた状態で収容する、複数サイズ（Ａ３版、Ａ４版、Ｂ５版）のシートの収容に対応したシート収容手段１２を構成要素としており、ここには、対応可能なサイズの中で最も小さいサイズ（Ｂ５版）のシート１００を収容している様子が示されている。尚、シート収容手段１２に収容されているシートのサイズは、サイドガイド１６およびエンドガイド１７の位置情報に基づいて制御部１０が認識できるようになっている。また、図５（ａ）についての説明は、図２（ａ）についての説明と同じとなるので省略する。
【００４１】
図５に示すシート給送装置３１では、第１実施形態の給送措置１１、２１とは異なり、電源が投入された直後から、図５（ｂ）に示すようにシートを給送位置に収容するようにされており、第１ファン１３ａは、給送位置で収容されている複数のシートの縁に、湿度センサ１５によって検出された湿度情報に応じた湿度または風量の乾燥風を吹き付ける。一方、第２ファン１３ｂは、シート収容手段１２に収容される最も小さなサイズのシート（Ｂ５版）を避けた向きの空間２０に乾燥風を吹き出す。
【００４２】
このシート給送装置３１を備えたプリンタでは、第１ファン１３ａは、シート収容手段１２に収容された複数のシートの縁に向けて乾燥風を吹き付け、第２ファン１３ｂは、そのシートを避けた向きの空間２０に向けて乾燥風の吹き付けを行なう。このようにすることでも、シート同士の密着を解くと共に、シート収容手段内のシートに対する除湿が、シート収容手段内に収容されたシートを避けた向きに吹き出す乾燥風によって局所的な除湿を抑制しつつ間接的になされている。これにより、一般的なプリンタではシート間隔の関係から小さなサイズのシートは大きなサイズのシートより生産性が高くなるが、大きなサイズのシートの場合よりもにシート同士の密着を直接的に解く時間が少なくなる点をシート収容手段内に収容されたシートを避けた向きに吹き出す乾燥風によってカバーすることができる。したがって、このプリンタによっても、局所的な除湿を回避し、湿潤に起因するシート搬送エラーの発生を抑制することができる。また、小さなサイズのシートを給送する際にシートを避けた向きに吹き出す乾燥風は、大きなサイズのシートを給送する際にはシートの縁に向けて吹き出す乾燥風として有効に利用される。
【００４３】
図６は、プリンタに備えられたシート給送装置において実行されるルーチンのフローチャートである。
【００４４】
図６に示すルーチンは、プリンタにおいて電源が投入されたことを受けて、シート給送装置３１において実行されるルーチンであり、ステップＳ２１では、湿度センサ１５からの湿度情報の取得を指示する。ステップＳ２２では、収容しているシートが第２吹出口１３２ｂを避けられるサイズであるか否かを判定する。ステップＳ２２において、最小サイズではないと判定すると、ステップＳ２３に進み、サブルーチン‘通常処理’を実行し、その後、ステップＳ２１に戻るが、このサブルーチン‘通常処理’は、本発明とは無関係であるので説明は省略する。ステップＳ２２において、最小サイズであると判定すると、ステップＳ２４に進み、第２ファン１３ｂに、取得した湿度情報に応じた湿度、または風量での送風を指示する。ステップＳ２５では、ソレノイドにオンを指示し、ステップＳ２６では、ボトムプレート１２１のモータにボトムプレート１２１を上昇させる向きへの回転を指示する。ステップＳ２７では、ボトムプレート１２１の上昇によりレベルセンサがオフとなったか、即ち、シートが給送可能な高さに到達したか否かを判定する。ステップＳ２７において、シートが所定の高さに到達していないと判定すると、ステップＳ２６に戻り、到達したと判定すると、ステップＳ２８に進む。ステップＳ２８では、ボトムプレート１２１のモータに停止を指示する。ステップＳ２９では、第１ファン１３ａに、既に取得済みの湿度情報に応じた湿度または風量での送風を指示する。ステップＳ３０では、シートの給送指示が出されているか否かを判定し、ステップＳ３０において、給送指示が出されていないと判定すると、ステップＳ２６に戻り、出されていると判定すると、ステップＳ３１に進み、ナジャーロール１４１に給送動作を指示する。ステップＳ３２では、給送動作が終了したか否かを判定し、終了していないと判定すると、ステップＳ３２を繰り返す。ステップＳ３２において、終了したと判定すると、ステップＳ３３に進み、次のシートの給送指示が出ているか否かを判定する。ステップＳ３３において指示が出されていないと判定されると、ステップＳ２１に戻る。一方、ステップＳ３３において、次の給送指示が出されていると判定すると、ステップＳ３４に進み、レベルセンサがオフか否か、即ち、シートの給送により、シートの高さが所定の高さから下がっていないか否かを判定する。ステップＳ３４において、下がっていると判定すると、ステップＳ３５に進み、ボトムプレート１２１のモータに上昇方向への回転を指示し、所定の高さとなるまでステップＳ３４を繰り返す。ステップＳ３４において、所定の高さに有ると判定されると、ステップＳ３６に進み、ボトムプレート１２１のモータに停止を指示し、その後、ステップＳ３１に戻る。
【００４５】
図７は、プリンタに備えられたシート給送装置の別態様を示す図である。
【００４６】
図７に示すシート給送装置４１と上述のシート給送装置３１との相違点は、ファンの配備位置が、シートが給送される位置に移動した点だけであるので、詳しい説明は省略するが、このような態様のシート給送装置４１を備えても、このプリンタによれば、局所的な除湿を回避し、湿潤に起因するシート搬送エラーの発生を抑制することができる。
【００４７】
尚、本実施例では画像形成装置に於けるシート給送装置を扱っているが、原稿読取装置に於ける原稿のシート給送装置でも構わない。
【００４８】
また、本実施例では乾燥風をヒータによるものとしているが他の除湿手段や画像形成装置本体等からの排気を利用したものでも構わない。
【図面の簡単な説明】
【００４９】
【図１】本発明のシート給送装置の第１実施形態を備えた画像形成装置の概略構成図である。
【図２】図１に示すシート給送装置の上面図および断面図である。
【図３】プリンタに備えられたシート給送装置において実行されるルーチンのフローチャートである。
【図４】プリンタに備えられたシート給送装置の別態様を示す図である。
【図５】プリンタに備えられているシート給送装置の概略構成図である。
【図６】プリンタに備えられたシート給送装置において実行されるルーチンのフローチャートである。
【図７】プリンタに備えられたシート給送装置の別態様を示す図である。
【符号の説明】
【００５０】
１  プリンタ
１０  制御部
１１、２１、３１、４１  シート給送装置
１２  シート収容手段
１２１  ボトムプレート
１３ａ、１３ｂ、１３ｃ、１３ｄ  ファン
１３２ａ、１３２ｂ、１３２ｃ、１３２ｄ  吹出口
１４  シート給送部
１４１  ナジャーロール
１４２  フィードロール
１４３  リタードロール
１５  湿度センサ
１６  サイドガイド
１７  エンドガイド
【図１】
2006193262.tif 000003
【図２】
2006193262.tif 000004
【図３】
2006193262.tif 000005
【図４】
2006193262.tif 000006
【図５】
2006193262.tif 000007
【図６】
2006193262.tif 000008
【図７】
2006193262.tif 000009